(57)【要約】【課題】各遮断器のオン／オフ状態を筐体外部から容易に確認できると共に内部の回路構成を容易に把握し得る配電盤を提供する。【解決手段】配電盤１３は補助接点２１ｓ〜２６ｓを備えた遮断器２１〜２６を搭載し、扉を有する筐体内に収納される。上記筐体の扉に遮断器状態表示パネル１４を設け、各遮断器２１〜２６に対応して設けたＬＥＤ４１〜４６を配電盤１３の回路構成を模擬するように配置する。配電盤１３は外部供給される電源から遮断器２２を介してステータスチェック用の電源を取出し、レギュレータ３６により２４Ｖの直流電源に変換して各遮断器２１〜２６の補助接点２１ｓ〜２６ｓと対応するＬＥＤ４１〜４６との直列回路にそれぞれ供給し、各遮断器２１〜２６に連動する補助接点２１ｓ〜２６ｓのオン／オフによりＬＥＤ４１〜４６を点灯又は消灯し、各遮断器２１〜２６の動作を外部から確認できるようにする。【選択図】      図２
2009038932.tif 000002
【特許請求の範囲】
【請求項１】
補助接点を備えた遮断器を搭載し、扉を有する筐体内に収納される配電盤において、
前記扉に外部から目視可能に設けられる遮断器状態表示パネルと、前記配電盤の回路構成を模擬するように前記遮断器状態表示パネルに配置され、前記各遮断器に対応して設けられる表示素子と、前記各遮断器の補助接点と対応して設けられる前記表示素子との直列回路に動作電源を供給する電源部とを具備し、
前記各遮断器のオン／オフ状態を前記表示素子の点灯又は消灯によって表示するように構成したことを特徴とする配電盤。
【発明の詳細な説明】
【技術分野】
【０００１】
本発明は、遮断器を搭載した配電盤に係り、特に遮断器のオン／オフ状態を外部筐体の扉を開くことなく確認できるようにした配電盤に関する。
【背景技術】
【０００２】
例えば生産設備等を有する工場等においては、各機器ユニットへの配電を制御する配電盤を備えている。この配電盤は、各ユニットへの電源供給をオン／オフする遮断器を搭載し、筐体（ラック）に収納されている。
【０００３】
通常、配電盤は上記のように筐体内に収納されるため、遮断器のオンまたはオフの状態を確認したい場合、筐体の扉を開けて配電盤にある遮断器のハンドルを確認しており、筐体外部から遮断器のオン／オフ状態を確認することは困難である。
【０００４】
また、本発明に関連する公知技術として、配電盤の内部の主回路導体に検電器を取付ける一方、筐体の外部に発光手段を設け、上記検電器が電圧を検出した場合に上記発光手段を発光するように構成し、充電部の電圧の有無を外部から確認できるようにした技術が知られている（例えば、特許文献１参照。）。
【特許文献１】特開平１１−２３４８２５号公報
【発明の開示】
【発明が解決しようとする課題】
【０００５】
上記従来の配電盤は、遮断器の開または閉の状態を確認したい場合、筐体の扉を開けて配電盤にある遮断器のハンドルを確認する必要があり、また、遮断器がトリップして開放状態になっても直ぐには判断できないという問題がある。更に、配電盤上に並べて設けられた遮断器は、一見して設置数については確認できるものの、回路構成を把握することは困難である。
【０００６】
本発明は上記の課題を解決するためになされたもので、各遮断器のオン／オフ状態を筐体外部から容易に確認できると共に内部の回路構成を容易に把握し得る配電盤を提供することを目的とする。
【課題を解決するための手段】
【０００７】
本発明は、補助接点を備えた遮断器を搭載し、扉を有する筐体内に収納される配電盤において、前記扉に外部から目視可能に設けられる遮断器状態表示パネルと、前記配電盤の回路構成を模擬するように前記遮断器状態表示パネルに配置され、前記各遮断器に対応して設けられる表示素子と、前記各遮断器の補助接点と対応して設けられる前記表示素子との直列回路に動作電源を供給する電源部とを具備し、前記各遮断器のオン／オフ状態を前記表示素子の点灯又は消灯によって表示するように構成したことを特徴とする。
【発明の効果】
【０００８】
本発明によれば、遮断器状態表示パネルに設けられている表示素子の点灯状態によって遮断器のオン／オフ状態を外部から容易に確認でき、地絡などの事故発生時、どの電源回路または負荷に問題があったかを容易に且つ即座に認知でき、発生した事故に対して迅速に対応することができる。
【発明を実施するための最良の形態】
【０００９】
以下、図面を参照して本発明の実施形態を説明する。
【００１０】
（第１実施形態）
図１は本発明の一実施形態に係る配電盤を収納した筐体（ラック）の構成を示し、（ａ）は扉を閉めた状態を示す斜視図、（ｂ）は扉を開いた状態を示す斜視図である。図２は上記筐体内に収納される配電盤及び扉に設けられる遮断器状態表示パネル部分の回路構成例を示す図である。
【００１１】
図１において、１１は例えば金属製の筐体で、前面に開閉可能な扉１２を備えている。上記筐体１１には、本体内に配電盤１３が収納され、扉１２に遮断器状態表示パネル１４が外部から目視可能に設けられる。この遮断器状態表示パネル１４には、詳細を後述するように配電盤１３に設けられる遮断器２１、２２、…のオン／オフ状態を表示するための表示素子例えばＬＥＤ（Light Emitting Diode：発光ダイオード）が設けられる。上記遮断器状態表示パネル１４は、リード線１５を介して配電盤１３に接続され、上記遮断器２１、２２、…のオン／オフ状態に応じてＬＥＤの点灯状態が制御される。上記遮断器状態表示パネル１４におけるＬＥＤの点灯状態は、筐体１１の扉１２を開くことなく外部から容易に確認することができるようになっている。
【００１２】
次に上記配電盤１３及び遮断器状態表示パネル１４の回路構成例について図２を参照して説明する。
【００１３】
図２は、配電盤１３から複数例えば３つのユニット（負荷）に配電する場合の構成例を示している。上記配電盤１３には、例えば端子台３１〜３４及び電磁開閉器等の開閉器を使用した遮断器２１〜２６が設けられる。上記遮断器２１〜２６は、それぞれ主接点のオンまたはオフの状態と連動して動作する補助接点２１ｓ〜２６ｓを備えている。
【００１４】
また、配電盤１３には、外部から三相交流２００Ｖの電源を受電する端子台３１、電源を分岐するための端子台３２、３３、各遮断器２１〜２６の補助接点２１ｓ〜２６ｓと遮断器状態表示パネル１４のＬＥＤ４１〜４６を接続するための端子台３４が設けられる。
【００１５】
上記端子台３１には、ＵＶＷの三相の端子にメインブレーカ（Main Breaker）である遮断器２１を介して端子台３２の各端子が接続されると共に、例えばＵＶの２端子にステータスチェック用の遮断器２２が接続される。
【００１６】
上記端子台３２には、ＵＶＷの三相の端子が２組設けられており、各組の端子に遮断器２３、２４がそれぞれ接続され、一方の遮断器２４を介して取出される電源がユニットＡへ供給される。また、端子台３２から他方の遮断器２３を介して取出される電源は、端子台３３により２分岐され、一方は遮断器２５を介してユニットＢへ供給され、他方は遮断器２６を介してユニットＣへ供給される。
【００１７】
また、上記端子台３１からステータスチェック（Status Check）用の遮断器２２を介して取出される電源は、レギュレータ３６に供給されて例えば２４Ｖの直流電源に変換される。上記レギュレータ３６から出力される２４Ｖの直流電源は、端子台３４により複数に分岐される。端子台３４は、Ｌ（＋側）、Ｎ（−側）の端子を３組備えており、上記レギュレータ３６から出力される２４Ｖの直流電源を上記３組のＬ、Ｎの端子によりそれぞれ遮断器２１〜２６の補助接点２１ｓ〜２６ｓを介して対応する遮断器状態表示パネル１４のＬＥＤ４１〜４６に供給する。この場合、端子台３４は、遮断器２１〜２６の各補助接点２１ｓ〜２６ｓと対応して設けられるＬＥＤ４１〜４６とをそれぞれ直列に接続して２４Ｖの直流電源を供給し、遮断器２１〜２６の主接点に連動して補助接点２１ｓ〜２６ｓがオンした場合に対応するＬＥＤ４１〜４６が個々に点灯するようになっている。
【００１８】
そして、上記遮断器状態表示パネル１４は、例えば図３に示すように上記遮断器２１〜２６に対応して設けられたＬＥＤ４１〜４６を図２に示した配電盤１３の回路構成に従って配置し、電源の流れに合わせて簡易的にブロック図のように表現する。すなわち、遮断器状態表示パネル１４は、配電盤１３の回路構成を模擬するようにＬＥＤ４１〜４６を配置し、配電盤１３内部の回路構成を確認できると共に、遮断器２１〜２６の通電状態をＬＥＤ４１〜４６の点灯状態によって確認できるようにする。
【００１９】
上記の構成において、端子台３１が外部から受電した三相交流２００Ｖは、遮断器２１を介して端子台３２へ送られ、この端子台３２から遮断器２４を介してユニットＡへ供給される。また、上記端子台３２から出力される電源は、遮断器２３を介して端子台３３へ送られ、この端子台３３から遮断器２５を介してユニットＢへ供給される。また、上記端子台３３から出力される電源は、遮断器２６を介してユニットＣへ供給される。
【００２０】
そして、上記各遮断器２１〜２６のオン／オフ状態を遮断器状態表示パネル１４に表示する場合には、ステータスチェック用の遮断器２２をオンにし、交流電源をレギュレータ３６に供給する。これによりレギュレータ３６から２４Ｖの直流電源が出力され、端子台３４から遮断器２１〜２６の補助接点２１ｓ〜２６ｓを介して遮断器状態表示パネル１４のＬＥＤ４１〜４６に供給される。このとき遮断器２１〜２６が全てオン状態となっていれば、図３に示すように全てのＬＥＤ４１〜４６が点灯する。
【００２１】
そして、例えばユニットＡ側に地絡などの事故が発生し、遮断器２４がトリップしてオフ状態となった場合には、図４に示すようにＬＥＤ４４が消灯する。従って、この場合、遮断器状態表示パネル１４におけるＬＥＤ４１〜４６の点灯状態を確認した際、ＬＥＤ４４が消灯し、その他のＬＥＤ４１〜４３、４５、４６が点灯していることによって、ユニットＡ側に地絡などの事故が発生し、遮断器２４がオフしたもの判断することができる。
【００２２】
なお、例えばユニットＡは不使用のため意図的に通電させていない場合には、遮断器２４がオフとなっているため、図４に示したようにＬＥＤ４４が消灯する。このように特定のユニットについて不使用のため意図的に通電させていない場合には、予め分かっているので事故の発生と混同することはない。
【００２３】
上記のように筐体１１の扉１２に遮断器状態表示パネル１４を設け、配電盤１３の遮断器２１〜２６に対応して設けたＬＥＤ４１〜４６を上記遮断器状態表示パネル１４に配置し、各遮断器２１〜２６のオン／オフ状態をＬＥＤ４１〜４６の点灯状態によって確認できるように構成することにより、筐体１１の扉１２を開いて遮断器２１〜２６のハンドルを確認することなく、各遮断器２１〜２６のオン／オフ状態を外部から容易に確認することができる。従って、例えば地絡などの事故発生時にそのユニットに対する遮断器がトリップした場合は、対応するＬＥＤが消灯するため、どの電源回路または負荷に問題があったかを容易、且つ即座に認知することができ、発生した事故に対して迅速に対応することができる。また、遮断器状態表示パネル１４に配電盤１３の回路構成を模擬するようにＬＥＤ４１〜４６を配置することにより、配電盤内部の回路構成を容易に把握することが可能になり、メンテナンス作業を容易に行うことができる。
【００２４】
なお、上記実施形態では、３つのユニットＡ〜Ｃに配電する場合について示したが、更に多数のユニットに配電する場合であっても、同様にして実施し得るものである。
【００２５】
また、本発明は、上記実施形態そのままに限定されるものではなく、実施段階ではその要旨を逸脱しない範囲で構成要素を変形して具体化できるものである。
【図面の簡単な説明】
【００２６】
【図１】本発明の一実施形態に係る配電盤を収納した筐体の構成を示す斜視図である。
【図２】同実施形態における配電盤及び遮断器状態表示パネル部分の回路構成図である。
【図３】同実施形態における遮断器状態表示パネルの構成例を示す図である。
【図４】同実施形態において、特定ユニットに地絡などの事故が発生し、対応する遮断器がトリップした場合の遮断器状態表示パネルの表示状態例を示す図である。
【符号の説明】
【００２７】
１１…筐体、１２…扉、１３…配電盤、１４…遮断器状態表示パネル、１５…リード線、２１〜２６…遮断器、２１ｓ〜２６ｓ…遮断器の補助接点、３１〜３４…端子台、３６…レギュレータ、４１〜４６…ＬＥＤ。
【図１】
2009038932.tif 000003
【図２】
2009038932.tif 000004
【図３】
2009038932.tif 000005
【図４】
2009038932.tif 000006